【手続補正書】
【提出日】平成28年4月13日(2016.4.13)
【手続補正１】
【補正対象書類名】特許請求の範囲
【補正対象項目名】全文
【補正方法】変更
【補正の内容】
【特許請求の範囲】
【請求項１】
画像表示装置のキャリブレーションを行うキャリブレーション手段と、
前記キャリブレーションの実行後に、複数の色のカラーパッチについて、測色値と理論値との色空間におけるずれの方向を表す色ずれ方向を取得する取得手段と、
前記複数の色のうち少なくとも一部の複数の色のカラーパッチについて、色ずれ方向の類似の度合を判定し、前記判定の結果に基づいて、前記キャリブレーション手段に、再度、前記画像表示装置のキャリブレーションを行わせるか否かを制御する制御手段と、
を備えるキャリブレーション装置。
【請求項２】
前記制御手段は、前記複数の色のうち少なくとも一部の複数の色のカラーパッチについて、色ずれ方向の類似の度合を表す判定係数を算出し、前記判定係数が閾値よりも大きい場合に、前記キャリブレーション手段に、再度、前記画像表示装置のキャリブレーションを行わせる請求項１に記載のキャリブレーション装置。
【請求項３】
前記取得手段は、前記画像表示装置に複数の色のカラーパッチを表示させ、カラーパッチごとの測色値を測色手段から取得する請求項１又は２に記載のキャリブレーション装置。
【請求項４】
前記制御手段は、前記複数の色の全ての色のカラーパッチについて、色ずれ方向の類似の度合いを判定する請求項１〜３のいずれか１項に記載のキャリブレーション装置。
【請求項５】
前記制御手段は、前記複数の色のカラーパッチのうちから優先する複数の色のカラーパッチを選択し、当該優先する複数の色のカラーパッチについて、色ずれ方向の類似の度合いを判定する請求項１〜３のいずれか１項に記載のキャリブレーション装置。
【請求項６】
前記複数の色のカラーパッチのうちから優先する複数の色のカラーパッチを選択するためのユーザの操作を受け付ける入力手段を更に有し、
前記制御手段は、前記入力手段を介してユーザの操作により選択された優先する複数の色のカラーパッチについて、色ずれ方向の類似の度合いを判定する請求項１〜３のいずれか１項に記載のキャリブレーション装置。
【請求項７】
前記制御手段は、前記複数の色のカラーパッチのうちから優先する複数の色のカラーパッチを選択し、前記複数の色の全ての色のカラーパッチについての色ずれ方向の類似の度合を表す第１の判定係数と、前記優先する複数の色のカラーパッチについての色ずれ方向の類似の度合を表す第２の判定係数と、を算出し、第１の判定係数及び第２の判定係数の少なくともいずれかが閾値より大きい場合、前記キャリブレーション手段に、再度、前記画像表示装置のキャリブレーションを行わせる請求項２に記載のキャリブレーション装置。
【請求項８】
前記取得手段は、カラーパッチごとに、測色値と理論値との色空間におけるずれの大きさを表す色ずれ量をさらに取得し、
前記制御手段は、前回のキャリブレーションの目標値を複数の色のカラーパッチの色ずれ方向と色ずれ量とに応じて調整し、調整した目標値を用いて、前記キャリブレーション手段に、再度、前記画像表示装置のキャリブレーションを行わせる請求項１〜７のいずれか１項に記載のキャリブレーション装置。
【請求項９】
前記取得手段は、カラーパッチごとに、測色値と理論値との色空間におけるずれの大きさを表す色ずれ量をさらに取得し、
前記制御手段は、複数の色のカラーパッチの色ずれ量の平均値が閾値より小さい場合、前記判定係数の値によらず、前記キャリブレーション手段に、再度、前記画像表示装置のキャリブレーションを行わせない請求項２に記載のキャリブレーション装置。
【請求項１０】
前記制御手段は、前記判定の結果に基づいて、ユーザに、再度キャリブレーションを行うか否かを問い合わせ、ユーザから、再度キャリブレーションを行う指示が入力された場合に、前記キャリブレーション手段に再度キャリブレーションを行わせる請求項１〜９のいずれか１項に記載のキャリブレーション装置。
【請求項１１】
前記制御手段は、前記判定係数が閾値よりも大きい場合に、ユーザに、再度キャリブレーションを行うことによって色の再現精度が向上する可能性が高い旨を通知するとともに再度キャリブレーションを行うか否かを問い合わせ、ユーザから、再度キャリブレーションを行う指示が入力された場合に、前記キャリブレーション手段に再度キャリブレーションを行わせる請求項２に記載のキャリブレーション装置。
【請求項１２】
画像表示装置のキャリブレーションを行うキャリブレーション工程と、
前記キャリブレーションの実行後に、複数の色のカラーパッチについて、測色値と理論値との色空間におけるずれの方向を表す色ずれ方向を取得する取得工程と、
前記複数の色のうち少なくとも一部の複数の色のカラーパッチについて、色ずれ方向の類似の度合を判定し、前記判定の結果に基づいて、前記キャリブレーション工程により、再度、前記画像表示装置のキャリブレーションを行わせるか否かを制御する制御工程と、を備えるキャリブレーション装置の制御方法。
【請求項１３】
前記制御工程では、前記複数の色のうち少なくとも一部の複数の色のカラーパッチについて、色ずれ方向の類似の度合を表す判定係数を算出し、前記判定係数が閾値よりも大きい場合に、前記キャリブレーション工程により、再度、前記画像表示装置のキャリブレーションを行わせる請求項１２に記載のキャリブレーション装置の制御方法。
【請求項１４】
前記取得工程では、前記画像表示装置に複数の色のカラーパッチを表示させ、カラーパッチごとの測色値を測色手段から取得する請求項１２に記載のキャリブレーション装置の制御方法。
【請求項１５】
前記制御工程では、前記複数の色の全ての色のカラーパッチについて、色ずれ方向の類
似の度合いを判定する請求項１２〜１４のいずれか１項に記載のキャリブレーション装置の制御方法。
【請求項１６】
前記制御工程では、前記複数の色のカラーパッチのうちから優先する複数の色のカラーパッチを選択し、当該優先する複数の色のカラーパッチについて、色ずれ方向の類似の度合いを判定する請求項１２〜１４のいずれか１項に記載のキャリブレーション装置の制御方法。
【請求項１７】
前記複数の色のカラーパッチのうちから優先する複数の色のカラーパッチを選択するためのユーザの操作を受け付ける入力工程を更に有し、
前記制御工程では、前記入力工程においてユーザの操作により選択された優先する複数の色のカラーパッチについて、色ずれ方向の類似の度合いを判定する請求項１２〜１４のいずれか１項に記載のキャリブレーション装置の制御方法。
【請求項１８】
前記制御工程では、前記複数の色のカラーパッチのうちから優先する複数の色のカラーパッチを選択し、前記複数の色の全ての色のカラーパッチについての色ずれ方向の類似の度合を表す第１の判定係数と、前記優先する複数の色のカラーパッチについての色ずれ方向の類似の度合を表す第２の判定係数と、を算出し、第１の判定係数及び第２の判定係数の少なくともいずれかが閾値より大きい場合、前記キャリブレーション工程により、再度、前記画像表示装置のキャリブレーションを行わせる請求項１３に記載のキャリブレーション装置の制御方法。
【請求項１９】
前記取得工程では、カラーパッチごとに、測色値と理論値との色空間におけるずれの大きさを表す色ずれ量をさらに取得し、
前記制御工程では、前回のキャリブレーションの目標値を複数の色のカラーパッチの色ずれ方向と色ずれ量とに応じて調整し、調整した目標値を用いて、前記キャリブレーション工程により、再度、前記画像表示装置のキャリブレーションを行わせる請求項１２〜１８のいずれか１項に記載のキャリブレーション装置の制御方法。
【請求項２０】
前記取得工程では、カラーパッチごとに、測色値と理論値との色空間におけるずれの大きさを表す色ずれ量をさらに取得し、
前記制御工程では、複数の色のカラーパッチの色ずれ量の平均値が閾値より小さい場合、前記判定係数の値によらず、前記キャリブレーション工程により、再度、前記画像表示装置のキャリブレーションを行わせない請求項１３に記載のキャリブレーション装置の制御方法。
【請求項２１】
前記制御工程では、前記判定の結果に基づいて、ユーザに、再度キャリブレーションを行うか否かを問い合わせ、ユーザから、再度キャリブレーションを行う指示が入力された場合に、前記キャリブレーション工程により再度キャリブレーションを行わせる請求項１２〜２０のいずれか１項に記載のキャリブレーション装置の制御方法。
【請求項２２】
前記制御工程では、前記判定係数が閾値よりも大きい場合に、ユーザに、再度キャリブレーションを行うことによって色の再現精度が向上する可能性が高い旨を通知するとともに再度キャリブレーションを行うか否かを問い合わせ、ユーザから、再度キャリブレーションを行う指示が入力された場合に、前記キャリブレーション工程により再度キャリブレーションを行わせる請求項１３に記載のキャリブレーション装置の制御方法。
【請求項２３】
請求項１２〜２２のいずれか１項に記載の制御方法の各工程をコンピュータに実行させるためのプログラム。
【手続補正２】
【補正対象書類名】明細書
【補正対象項目名】００１０
【補正方法】変更
【補正の内容】
【００１０】
本発明は、画像表示装置のキャリブレーションを行うキャリブレーション手段と、
前記キャリブレーションの実行後に、複数の色のカラーパッチについて、測色値と理論値との色空間におけるずれの方向を表す色ずれ方向を取得する取得手段と、
前記複数の色のうち少なくとも一部の複数の色のカラーパッチについて、色ずれ方向の類似の度合を判定し、前記判定の結果に基づいて、前記キャリブレーション手段に、再度、前記画像表示装置のキャリブレーションを行わせるか否かを制御する制御手段と、
を備えるキャリブレーション装置である。
【手続補正３】
【補正対象書類名】明細書
【補正対象項目名】００１１
【補正方法】変更
【補正の内容】
【００１１】
本発明は、画像表示装置のキャリブレーションを行うキャリブレーション工程と、
前記キャリブレーションの実行後に、複数の色のカラーパッチについて、測色値と理論値との色空間におけるずれの方向を表す色ずれ方向を取得する取得工程と、
前記複数の色のうち少なくとも一部の複数の色のカラーパッチについて、色ずれ方向の類似の度合を判定し、前記判定の結果に基づいて、前記キャリブレーション工程により、再度、前記画像表示装置のキャリブレーションを行わせるか否かを制御する制御工程と、を備えるキャリブレーション装置の制御方法である。